(57)【要約】      （修正有）【課題】ブラジャーとウエストニッパーとを一体化して着衣の能率化を高めるようにしながら、ボーンとも呼ばれる弾性骨材をウエストニッパーに適切に取り付けておくことにより、整然とした着こなしを自動的に行えるようにした女性用衣類を提供する。【解決手段】女性のウエストを引き締めるためのウエストニッパー１の前面上側にブラジャー２が取り付けられて、同ブラジャー２の取り付け紐３が備えられており、ウエストニッパー１の前面下側の左右部分からそれぞれ上方へ延在して女性Ａの背面へ回り込みながら同ウエストニッパー１の後面上側まで到達するように、一対の帯状弾性骨材５，５が取り付けられている。【選択図】図２
0003147666.tif 000002
【実用新案登録請求の範囲】
【請求項１】
女性のウエストを引き締めるように覆うべく伸縮性繊維材で形成されたウエストニッパーと、同ウエストニッパーの前面上側に接続されたブラジャーと、同ブラジャーの左右端部から上記女性の背面へ回り込めるように同ブラジャーに装着されたブラジャー取り付け紐とを備えるとともに、上記ウエストニッパーの前面下側の左右部分からそれぞれ上方へ延在して上記女性の背面へ回り込みながら同ウエストニッパーの後面上側まで到達するように同ウエストニッパーに取り付けられた左右一対の弾性骨材を備えて構成されたことを特徴とする、女性用衣類。
【請求項２】
上記ウエストニッパーの下縁にペチコートが接続されていることを特徴とする、請求項１に記載の女性用衣類。
【考案の詳細な説明】
【技術分野】
【０００１】  本考案は、女性のための衣類に関し、特に女性が体型を整えるようにしながら能率よく迅速に着衣を行うのに適した女性用衣類に関する。
【背景技術】
【０００２】  一般に女性の着衣の際には、ウエストを引き締めるためのウエストニッパーやブラジャーが用いられるほか、パンテイーを覆うペチコートなども用いられるが、これらの衣類を個別に着てゆくと、能率が悪く、手間がかかるという不具合がある。
【考案の開示】
【考案が解決しようとする課題】
【０００３】  本考案は、少なくともブラジャーとウエストニッパーとを一体化して着衣の能率化を高めるようにしながら、ボーンともよばれる弾性骨材をウエストニッパーに適切に取り付けておくことにより、整然とした着こなしを自動的に行えるようにした女性用衣類を提供することを課題とする。
【課題を解決するための手段】
【０００４】  前述の課題を解決するため、本考案の女性用衣類は、女性のウエストを引き締めるように覆うべく伸縮性繊維材で形成されたウエストニッパーと、同ウエストニッパーの前面上側に接続されたブラジャーと、同ブラジャーの左右端部から上記女性の背面へ回り込めるように同ブラジャーに装着されたブラジャー取り付け紐とを備えるとともに、上記ウエストニッパーの前面下側の左右部分からそれぞれ上方へ延在して上記女性の背面へ回り込みながら同ウエストニッパーの後面上側まで到達するように同ウエストニッパーに取り付けられた左右一対の弾性骨材を備えて構成されたことを特徴としている。【０００５】  また、本考案の女性用衣類は、上記ウエストニッパーの下縁にペチコートが接続されていることを特徴としている。
【考案の効果】
【０００６】  上述の本考案の女性用衣類では、同衣類を足元から挿入するようにしながら、まずウエストニッパーを女性のウエストに密着させてから、ブラジャー取り付け紐を操作してブラジャーの乳房への装着が適切に行われるようになる。その際、上記ウエストニッパー取り付けられている左右一対の弾性骨材が、同ウエストニッパーの前面下側から上方へ延在して、女性の背面へ回り込みながら少なくとも同ウエストニッパーの後面上側まで到達するように配設されているので、同弾性部材の存在により、上記ウエストニッパーの形状保持が整然と行われて、着崩れを生じることが無く、優美な着こなしが自動的に達成されるようになる。【０００７】  また、上記ウエストニッパーの下縁にペチコートが接続されていると、前記のブラジャーおよびウエストニッパーと共にペチコートの着衣も同時に能率よく行われるほか、前方へ身をかがめた場合でも、前記弾性骨材の存在により上記ウエストニッパーは整然と正規の位置に存在するため、上記ペチコートの上昇が防止されるようになる。
【実施例】
【０００８】  図１は本考案の実施例１としての女性用衣類を示す正面図、図２は図１の女性用衣類の着用状態を示す説明図である。【０００９】  図１，２に示すごとく、女性Ａのウエストを引き締めて覆うことができるように伸縮性繊維材で形成されたウエストニッパー１において、その前面上側にブラジャー２が接続されており、同ブラジャー２の左右端部には、女性Ａの背面へ回り込めるように同ブラジャー２に装着されたブラジャー取り付け紐３が備えられている。【００１０】  また、ウエストニッパー１の前面下側の左右部分からそれぞれ上方へ延在して女性Ａの背面へ回り込みながら同ウエストニッパー１の後面上側まで到達するように同ウエストニッパー１に取り付けられた左右一対の帯状製弾性骨材５，５が設けられている。【００１１】  また、ブラジャー２を十分に支えるための一対の肩掛け紐６，６が、同ブラジャー２の両側部とウエストニッパー１の上縁後側部との間に設けられているが、これらの肩掛け紐６，６は省略してもよい。なお、図２の実施例１では、ウエストニッパー１とは別体のペチコート７が着用されている。【００１２】  実施例１の女性用衣類は上述のように構成されているので、その使用時には、図２に示すように、女性Ａはペチコート７の着衣を行う前に、まずウエストニッパー１を、足元から挿入するようにしながらウエストに装着し、ブラジャー２の装着は、その取り付け紐３を介して行われる。【００１３】  上述の実施例１の女性用衣類では、同衣類を足元から挿入するようにしながら、まずウエストニッパー１を女性Ａのウエストに密着させてから、ブラジャー取り付け紐３を操作してブラジャー２の乳房への装着が適切に行われる。その際、ウエストニッパー１に取り付けられている左右一対の弾性骨材５が、同ウエストニッパー１の前面下側の左右部分から上方へ延在して、女性Ａの背面へ回り込みながら少なくとも同ウエストニッパー１の後面上側まで到達するように配設されているので、同弾性部材５の存在により、ウエストニッパー１の形状保持が整然と行われて、着崩れを生じることがなく、優美な着こなしが自動的に達成されるようになる。【００１４】  次に本考案の実施例２について説明すると、図３は実施例２としての女性用衣類を示す正面図、図４は図３の衣類の着用状態を示す説明図である。【００１５】  実施例２の場合も、図３、４に示すごとく女性Ａのウエストを引き締めて覆うことができるように伸縮性繊維材で形成されたウエストニッパー１において、その前面上側にブラジャー２が接続されており、同ブラジャー２の左右端部には、女性Ａの背面へ回り込めるように同ブラジャー２に装着されたブラジャー取り付け紐３が備えられている。【００１６】  また、ウエストニッパー１の前面下側の左右部分からそれぞれ上方へ延在して女性Ａの背面へ回り込みながら同ウエストニッパー１の後面上側まで到達するように同ウエストニッパー１に取り付けられた左右一対の帯状製弾性骨材５，５が設けられている。【００１７】  また、ブラジャー２を十分に支えるための一対の肩掛け紐６，６が同ブラジャー２の両側部とウエストニッパー１の上縁後側部との間に設けられているが、これらの肩掛け紐６，６は省略してもよい。更に、���３の実施例２ではウエストニッパー１と一体のペチコート７ａが、その上縁をウエストニッパー１の下縁に強固に取り付けられている。【００１８】  実施例２の女性用衣類は、上述のように構成されているので、その使用時には、図４に示すように、女性Ａはペチコート７ａと一体のウエストニッパー１を、足元から挿入するようにしながらウエストに装着し、ブラジャー２の装着は、その取り付け紐３を介して行われる。そして、肩掛け紐６が肩にかけられる。【００１９】  上述の実施例２の女性用衣類の場合も同衣類を足元から挿入するようにしながら、まずウエストニッパー１を女性Ａのウエストに密着させてから、ブラジャー取り付け紐３を操作してブラジャー２の乳房への装着が適切に行われるようになれる。【００２０】  その際、ウエストニッパー１に取り付けられている左右一対の弾性骨材５が、同ウエストニッパー１の前面下側から少なくとも同ウエストニッパー１の後面上側まで到達するように配設されているので、同弾性部材５の存在により、ウエストニッパー１の形状保持が整然と行われて、着崩れを生ずることが無く、優美な着こなしが自動的に達成されるようになる。【００２１】  また、ウエストニッパー１の下縁にペチコート７ａが接続されているので、ブラジャー２およびウエストニッパー１と共にペチコート７ａの着衣も同時に能率よく行われるほか、前方へ身をかがめた場合でも、左右の弾性骨材５，５の存在によりウエストニッパー１は整然と正規の位置に維持されるため、ペチコート７ａの上昇が防止されるようになる。
【図面の簡単な説明】
【００２２】
【図１】本考案の実施例１としての女性用衣類を示す正面図である。
【図２】図１の衣類の着用状態を示す説明図である。
【図３】本考案の実施例２としての女性用衣類を示す正面図である。
【図４】図３の衣類の着用状態を示す説明図である。
【符号の説明】
【００２３】１    ウエストニッパー
２    ブラジャー
３    ブラジャー取り付け紐
５    弾性骨材
６    肩掛け紐，
７，７ａ    ペチコート
Ａ    女性
【図１】
0003147666.tif 000003
【図２】
0003147666.tif 000004
【図３】
0003147666.tif 000005
【図４】
0003147666.tif 000006